(57)【要約】【課題】  ごみ焼却炉から排出される焼却灰（主灰）を溶融処理する設備に用いられる集塵管構造に於て、ダストに依る摩耗を軽減して穴明きまでの更なる延命を図る。  【解決手段】  集塵管２の彎曲部９の外周側が二重管壁３にされてその内部に充填材４が充填されると共に、集塵管２の彎曲部９の上流側近傍に排気Ｃを集塵管２の彎曲部９の外周側以外に導く為の整流板５を設ける。整流板５は、集塵管２と同心状でこれの内径より小さい整流穴１２を備えているのが好ましい。充填材４は、モルタルであるのが好ましい。【選択図】        図１
2008196511.tif 000002
【特許請求の範囲】
【請求項１】
集塵管の彎曲部の外周側が二重管壁にされてその内部に充填材が充填された集塵管構造に於て、前記集塵管の彎曲部の上流側近傍に排気を集塵管の彎曲部の外周側以外に導く為の整流板を設けた事を特徴とする集塵管構造。
【請求項２】
整流板は、集塵管と同心状でこれの内径より小さい整流穴を備えている請求項１に記載の集塵管構造。
【請求項３】
充填材は、モルタルである請求項１に記載の集塵管構造。
【発明の詳細な説明】
【技術分野】
【０００１】
本発明は、例えばごみ焼却炉から排出される焼却灰（主灰）を溶融処理する設備に用いられる集塵管構造の改良に関する。
【背景技術】
【０００２】
ごみ焼却炉から排出される焼却灰（主灰）を溶融処理する灰溶融炉等の処理設備では、図３に示す如く、主灰Ａを乾式のままコンベヤ５０により搬送するのが一般的である。
【０００３】
コンベヤ５０は、コンベヤケーシング５１内にコンベヤフライト５２が取付けられたコンベヤチェーン５３がコンベヤスプロケット５４により動力を伝えられて回送して居り、主灰Ａは、コンベヤ５０のコンベヤフライト５２により搬送されて排出シュート５５から排出され、図略している下流の搬送機へ送られる。
【０００４】
ところが、主灰Ａを乾式のコンベヤ５０で搬送する場合は、排出シュート５５から排出される主灰Ａ中の微細なダストＢがコンベヤ機内に充満して居り、特にコンベヤ５０の搬入部と排出部ではコンベヤケーシング５１の隙間から微細なダストＢが洩れ出して周辺の環境が汚染される惧れがあった。
そこで、コンベヤ機内を負圧に保つ為に、コンベヤケーシング５１に集塵管台５６と集塵管５７を介して集塵器（図示せず）を接続し、ダストＢを吸引する様にしている。
ところが、集塵管５７内は、空気の気流に乗ったダストＢによる摩耗があり、特に彎曲部５８では排気中の微細なダストＢによる摩耗が著しく、穴明き（破孔）が発生し易かった。
この為、従来に於ては、例えば集塵管５７の彎曲部５８の外周側の外面にプロテクタ（金属材料）５９を付設したり（図３や特許文献１参照）、集塵管の彎曲部の外周側の内面に耐摩耗性材料を付設したり（特許文献１や特許文献２参照）、集塵管の彎曲部の外周側を二重管壁にしてその間にキャスタブルを充填したり（特許文献１参照）、集塵管の彎曲部の肉厚を増大させたり（特許文献２参照）していた。
【０００５】
【特許文献１】実開昭５５−１１９４８９号公報
【特許文献２】実公平６−３２６６号公報
【特許文献３】特開平９−３０３６７１号公報
【発明の開示】
【発明が解決しようとする課題】
【０００６】
然しながら、従来の何れのものも、集塵管の穴明きまでの延命化を図っているが、ダストに依る摩耗そのものを考慮して居らず、充分なものではなかった。
【０００７】
本発明は、叙上の問題点に鑑み、これを解消する為に創案されたもので、その課題とする処は、ダストに依る摩耗を軽減して穴明きまでの更なる延命を図る様にした集塵管構造を提供するにある。
【課題を解決するための手段】
【０００８】
本発明の集塵管構造は、基本的には、集塵管の彎曲部の外周側が二重管壁にされてその内部に充填材が充填された集塵管構造に於て、前記集塵管の彎曲部の上流側近傍に排気を集塵管の彎曲部の外周側以外に導く為の整流板を設けた事に特徴が存する。
【０００９】
集塵管の彎曲部の外周側は、二重管壁にされていると共に、その内部には充填材が充填されているので、排気中のダストに依り集塵管自体が摩耗して破孔しても、充填材まで破孔するのには相当の期間が掛かり、その間に排気が外部に漏洩する事が防止され、延命化を図る事ができる。
集塵管の彎曲部の上流側近傍には、整流板が設けられているので、排気が集塵管の彎曲部の外周側以外に導かれる。この為、排気中のダストと集塵管の彎曲部の外周側内面との接触が減少されて集塵管の摩耗が抑制される。
【００１０】
整流板は、集塵管と同心状でこれの内径より小さい整流穴を備えているのが好ましい。この様にすれば、集塵管の彎曲部に流入される排気が集塵管の中心部に導かれて同部分のみに流す事ができるので、集塵管の内面全体とダストの接触を減少させる事ができる。
【００１１】
充填材は、モルタルであるのが好ましい。この様にすれば、硬化するまでは流動性があるので、二重管壁内に容易に充填できると共に、硬化後は、硬度が高いので、摩耗に依り破孔する惧れが極めて少なくなる。
【発明の効果】
【００１２】
本発明に依れば、次の様な優れた効果を奏する事ができる。
（１）  集塵管の彎曲部の上流側近傍には排気を集塵管の外周側管壁以外に導く為の整流板を設けたので、排気中のダストに依る集塵管の摩耗が軽減されて集塵管の穴明きまでの更なる延命を図る事ができる。
（２）  集塵管の彎曲部の外周側管壁が二重管構造にされてその内部には充填材が充填されているので、集塵管自体に穴が明いても補修せずに長期的に使用できる。
【発明を実施するための最良の形態】
【００１３】
以下、本発明の実施の形態を、図面に基づいて説明する。
図１は、本発明の集塵管構造を示す縦断面図。図２は、整流板を示す斜視図である。
【００１４】
集塵管構造１は、集塵管２、二重管壁３、充填材４、整流板５とからその主要部が構成されて居り、ごみ焼却炉から排出される主灰（焼却灰）Ａを溶融処理する灰溶融炉等の処理設備に用いられる。
【００１５】
集塵管２は、集塵管構造１の基本部分を為すもので、この例では、直管と曲管とを組合わせて適宜フランジ継手６に依り連結して構成されている。
集塵管２は、一方が集塵管台７を介してコンベヤケーシング８内に接続されていると共に、他方が集塵器（図示せず）に接続されている。
フランジ継手６は、各管の端部に設けられたフランジと、隣接するフランジ同士を締結する適数のボルト・ナット等の締結具とを備えている。
【００１６】
二重管壁４は、集塵管２の彎曲部９の外周側に形成されたもので、この例では、集塵管２の彎曲部９の外周側管壁１０と、これの外側に設けられて一方が開放された容器状を呈する鋼板製のプロテクタ１１とを備えている。
プロテクタ１１は、集塵管２の彎曲部９と同心状を呈して鋼板等に依り形成されて集塵管２の彎曲部９に溶接等に依り固着されている。
【００１７】
充填材５は、二重管壁４の内部に充填されたもので、この例では、モルタルにしてあり、二重管壁４の一部を開放して置き、ここから内部に充填されて硬化されると共に、その後は開放部分が蓋板等（図示せず）に依り閉塞される。
【００１８】
整流板３は、集塵管２の彎曲部９の上流側近傍に設けられて排気Ｃを集塵管２の彎曲部９の外周側以外に導く為のもので、この例では、板状を呈し、集塵管２のフランジ継手６のフランジと略同じ外径を有していると共に、集塵管２と同心状でこれの内径Ｄより小さい直径ｄを有する整流穴１２を備えている。
整流板３は、フランジ継手６の隣接するフランジ間に挟まれると共に、フランジ同士を締結する締結具を利用してこれらに固定される。
【００１９】
次に、この様な構成に基づいてその作用を述解する。
ダストＢを含んだ排気Ｃは、コンベヤケーシング７内から集塵管台６、集塵管２を介して集塵器（図示せず）に送られる。
集塵管２の彎曲部９の外周側は、二重管壁３にされていると共に、その内部には充填材４が充填されているので、排気Ｃ中のダストＢに依り集塵管２自体つまり外周側管壁１０が摩耗して破孔しても、充填材４まで破孔するのには相当の期間が掛かり、その間に排気Ｃが外部に漏洩する事が防止され、延命化を図る事ができる。
集塵管２の彎曲部９の上流側近傍には、整流板５が設けられているので、排気Ｃが集塵管２の彎曲部９の外周側以外、とりわけ中心部に導かれる。この為、排気Ｃ中のダストＢと集塵管２の彎曲部９の外周側内面つまり外周側管壁１０との接触が減少されて集塵管２の摩耗が抑制される。排気Ｃ中のダストＢは、その一部が整流板５の整流穴１２に依り図１の如く堆積される。
【００２０】
尚、充填材４は、先の例では、モルタルであったが、これに限らず、例えばキャスタブル等でも良い。
整流板５は、先の例では、集塵管２の彎曲部９の上流側に設置したが、これに限らず、例えば彎曲部９以外の穴明きが発生し易い箇所の上流側に設置しても良い。この様にすれば、同箇所の摩耗防止対策とする事ができる。
【産業上の利用可能性】
【００２１】
本発明は、粉粒体の輸送配管等に於ても利用できる。
【図面の簡単な説明】
【００２２】
【図１】本発明の集塵管構造を示す縦断面図。
【図２】整流板を示す斜視図。
【図３】主灰搬送コンベヤに適用される従来の集塵管構造を示す縦断面図。
【符号の説明】
【００２３】
１…集塵管構造、２…集塵管、３…二重管壁、４…充填材、５…整流板、６…集塵管台、７…コンベヤケーシング、８…フランジ継手、９…彎曲部、１０…外周側管壁、１１…プロテクタ、１２…整流穴、５０…コンベヤ、５１…コンベヤケーシング、５２…コンベヤフライト、５３…コンベヤチェーン、５４…コンベヤスプロケット、５５…排出シュート、５６…集塵管台、５７…集塵管、５８…彎曲部、５９…プロテクタ、Ａ…主灰、Ｂ…ダスト、Ｃ…排気、Ｄ…内径、ｄ…直径。
【図１】
2008196511.tif 000003
【図２】
2008196511.tif 000004
【図３】
2008196511.tif 000005